(57)【要約】【課題】モバイル端末が利用できなくなった場合にも、モバイル端末で実行中のプラント監視制御を監視制御装置にてシームレスに引継ぐことができるプラント監視制御システムを得る。【解決手段】モバイル端末１１によるプラントの監視制御時に、モバイル端末１１の要求によりコントローラ１４から取得したプラントの監視データおよびモバイル端末１１の画面表示処理手段２２の画面上で入力されたプラントの制御データを、監視制御装置１５のモバイル端末データ処理手段３４により、それぞれ画面表示履歴４１と画面操作履歴４２に蓄積し、ライブチェック処理手段３６によりモバイル端末１１との間の通信異常が検出された場合に、監視制御装置１５の画面表示処理手段３３および操作履歴表示処理手段３８は、画面表示履歴４１と画面操作履歴４２を参照して、プラントの監視制御を継続するようにした。【選択図】図２
2016091337.tif 000002
【特許請求の範囲】
【請求項１】
監視制御装置と、この監視制御装置に接続されたモバイル端末とを用い、コントローラを介して、プラントの監視制御を行うプラント監視制御システムであって、
上記監視制御装置は、
上記モバイル端末で画面表示される監視データを画面表示履歴として蓄積した画面表示履歴格納部、
上記モバイル端末から送信された制御データを操作履歴として蓄積した画面操作履歴格納部、
この画面操作履歴格納部に蓄積された上記操作履歴を表示する操作履歴表示処理手段、
上記モバイル端末および上記監視制御装置のいずれかに排他的に上記プラントの制御権を与えるプラント制御処理手段、
上記モバイル端末からの読出し要求に応じて、上記コントローラから監視データを取得して、上記モバイル端末へ送信するとともに上記画面表示履歴格納部に蓄積し、上記モバイル端末からの書込み要求に応じて、上記モバイル端末に制御権がある場合に上記モバイル端末からの制御データを、上記コントローラへ出力するとともに上記画面操作履歴格納部に蓄積するモバイル端末要求処理手段、
上記モバイル端末のライブチェックを行うライブチェック処理手段、
および上記プラントの監視データの画面表示を行うとともに、上記プラントを制御するための制御データの入力を可能とする画面表示処理手段を備え、
上記画面表示処理手段および上記操作履歴表示処理手段は、上記ライブチェック処理手段により上記モバイル端末との間の通信に異常が検出された場合に、上記画面表示履歴格納部および上記画面操作履歴格納部を用いて、上記モバイル端末による上記プラント監視制御を継続することを特徴とするプラント監視制御システム。
【請求項２】
上記モバイル端末は、
プラントの監視データの画面表示を行うとともに、プラントの監視データの読出し要求の入力および上記プラントを制御するための制御データの書込み要求を入力可能とする端末側画面表示処理手段を備え、
上記読出し要求および上記書込み要求を上記監視制御装置に送信することを特徴とする請求項１記載のプラント監視制御システム。
【請求項３】
上記画面表示処理手段は、上記モバイル端末の端末側画面表示処理手段と同等の機能を有することを特徴とする請求項２記載のプラント監視制御システム。
【請求項４】
上記画面表示処理手段および操作履歴表示処理手段は、上記ライブチェック処理手段から上記モバイル端末との間の通信に異常が検出されたことの通知を受けて、上記プラント監視制御を継続することを特徴とする請求項３記載のプラント監視制御システム。
【請求項５】
上記画面表示履歴格納部および上記画面操作履歴格納部は、ハードディスク上に設けられ、
上記モバイル端末要求処理手段は、上記監視データまたは上記制御データの蓄積時に、メモリ上に一時退避したのち、一定時間後に上記画面表示履歴格納部または上記画面操作履歴格納部に蓄積することを特徴とする請求項１から請求項４のいずれか一項記載のプラント監視制御システム。
【請求項６】
上記監視制御装置と上記モバイル端末とは無線ＬＡＮによって接続されていることを特徴とする請求項１から請求項５のいずれか一項記載のプラント監視制御システム。
【請求項７】
上記監視制御装置と上記モバイル端末とは有線ＬＡＮによって接続されていることを特
徴とする請求項１から請求項５のいずれか一項記載のプラント監視制御システム。
【請求項８】
上記監視制御装置と上記モバイル端末とは公衆回線によって接続されていることを特徴とする請求項１から請求項５のいずれか一項記載のプラント監視制御システム。
【請求項９】
上記監視制御装置と上記モバイル端末とは第３世代以降の携帯電話回線網によって接続されていることを特徴とする請求項１から請求項５のいずれか一項記載のプラント監視制御システム。
【請求項１０】
上記監視制御装置と上記モバイル端末とは高度無線通信網によって接続されていることを特徴とする請求項１から請求項５のいずれか一項記載のプラント監視制御システム。
【請求項１１】
上記監視制御装置および上記モバイル端末は、それぞれ複数設けられ、
上記プラント制御処理手段は、複数の監視制御装置およびモバイル端末のうちの一つに排他的に上記制御権を与えることを特徴とする請求項１から請求項１０のいずれか一項記載のプラント監視制御システム。
【請求項１２】
監視制御装置と、この監視制御装置に接続されたモバイル端末とを用い、コントローラを介して、プラントの監視制御を行うプラント監視制御方法であって、
上記モバイル端末の端末側画面表示処理手段による表示画面を用いて、上記モバイル端末が上記プラントの監視制御を行うとともに、上記端末側画面表示処理手段による表示画面に用いられる上記プラントの監視データおよび上記端末側画面表示処理手段で入力された上記プラントへの制御データを、上記監視制御装置のモバイル端末要求処理手段が、それぞれ上記監視制御装置の履歴格納部に蓄積する第１のステップ、
上記監視制御装置のライブチェック処理手段が、上記モバイル端末のライブチェックを行い、上記モバイル端末との間の通信の異常を検出する第２のステップ、
およびこの第２のステップで上記モバイル端末との間の通信に異常が検出された場合に、上記監視制御装置が、画面表示処理手段および操作履歴表示処理手段により、上記履歴格納部のデータに基づき、上記モバイル端末の上記プラントの監視制御を継続する第３のステップを含むことを特徴とするプラント監視制御方法。
【請求項１３】
上記第１のステップで上記監視データまたは上記制御データを蓄積する上記履歴格納部は、ハードディスク上に設けられ、上記履歴格納部への蓄積は、メモリ上に一時退避したのち、一定時間後に行われることを特徴とする請求項１２記載のプラント監視制御方法。
【発明の詳細な説明】
【技術分野】
【０００１】
この発明は、モバイル端末を用いてプラントを監視制御するプラント監視制御システムおよびプラント監視制御方法に関するものである。
【背景技術】
【０００２】
従来のプラント監視制御システムでは、プラントの監視制御情報を収集し制御するコントローラと、このコントローラが保持する監視制御データを表示可能に管理する監視制御装置と、この監視制御装置と無線ＬＡＮによりデータ授受を行うモバイル端末によりプラントを監視制御するものがある。
このプラント監視制御システムでは、監視制御装置は中央操作室などに設置され、プラント全体の監視制御を実施している。
このようなプラント監視制御システムにおいて、現場でプラントのメンテナンス業務や監視制御を行う場合には、中央操作室に設置した監視制御装置と無線ＬＡＮにより接続されたモバイル端末を使用して行う場合も増えてきている。（たとえば、特許文献１）
このようなモバイル端末を用いたプラント監視制御システムでは、監視制御装置とモバイル端末との間で、画面表示履歴および操作履歴やプラントの監視制御情報を相互にやり取りして監視制御装置とモバイル端末とでデータの一致を確保することにより、中央操作室での業務の一部を現場で直接実施できるようにして、モバイル端末のプラント監視制御システムへの適用拡大を図っている。
【先行技術文献】
【特許文献】
【０００３】
【特許文献１】特開２００４−１５７８２４号公報（第５〜９頁、第１図）
【発明の概要】
【発明が解決しようとする課題】
【０００４】
このようなモバイル端末を用いたプラント監視制御システムでは、無線ＬＡＮを介してモバイル端末と監視制御装置とでデータ授受を行なっている。このため、モバイル端末のバッテリ切れが起こったり、無線ＬＡＮの異常が発生したりすると、それまでモバイル端末で実行していたプラント監視制御ができなくなる可能性があった。
例えば、モバイル端末でゲート開閉操作中に前述したようなシステム異常が発生すると、以降のゲート開閉操作が、モバイル端末で操作不可となり、施設が浸水するといった事故の原因となる。
【０００５】
また、特許文献１のシステムでは、システムの可用性向上策として、監視制御装置をモバイル端末との通信用のゲートウェイ機能と位置付け、監視制御装置を複数設置することにより、ゲートウェイ機能ダウン時のシステムバックアップを可能としている。
これにより、ゲートウェイ機能ダウンに対するバックアップは可能であるが、監視制御装置を複数設置することによる費用対効果がかなり悪くなってしまう。
さらに、このようなバックアップでは、モバイル端末のバッテリ切れや無線ＬＡＮの異常には、まったく対応できないという問題があった。
【０００６】
この発明は、上述のような課題を解決するためになされたものであり、モバイル端末が利用できなくなった場合にも、モバイル端末で実行中のプラント監視制御を監視制御装置にてシームレスに引継ぐことができるプラント監視制御システムおよびプラント監視制御方法を得ることを目的とする。
【課題を解決するための手段】
【０００７】
この発明に係わるプラント監視制御システムにおいては、監視制御装置と、この監視制御装置に接続されたモバイル端末とを用い、コントローラを介して、プラントの監視制御を行うプラント監視制御システムであって、監視制御装置は、モバイル端末で画面表示される監視データを画面表示履歴として蓄積した画面表示履歴格納部、モバイル端末から送信された制御データを操作履歴として蓄積した画面操作履歴格納部、この画面操作履歴格納部に蓄積された操作履歴を表示する操作履歴表示処理手段、モバイル端末および監視制御装置のいずれかに排他的にプラントの制御権を与えるプラント制御処理手段、モバイル端末からの読出し要求に応じて、コントローラから監視データを取得して、モバイル端末へ送信するとともに画面表示履歴格納部に蓄積し、モバイル端末からの書込み要求に応じて、モバイル端末に制御権がある場合にモバイル端末からの制御データを、コントローラへ出力するとともに画面操作履歴格納部に蓄積するモバイル端末要求処理手段、モバイル端末のライブチェックを行うライブチェック処理手段、およびプラントの監視データの画面表示を行うとともに、プラントを制御するための制御データの入力を可能とする画面表示処理手段を備え、画面表示処理手段および操作履歴表示処理手段は、ライブチェック処理手段によりモバイル端末との間の通信に異常が検出された場合に、画面表示履歴格納部および画面操作履歴格納部を用いて、モバイル端末によるプラント監視制御を継続するものである。
【発明の効果】
【０００８】
この発明によれば、監視制御装置と、この監視制御装置に接続されたモバイル端末とを用い、コントローラを介して、プラントの監視制御を行うプラント監視制御システムであって、監視制御装置は、モバイル端末で画面表示される監視データを画面表示履歴として蓄積した画面表示履歴格納部、モバイル端末から送信された制御データを操作履歴として蓄積した画面操作履歴格納部、この画面操作履歴格納部に蓄積された操作履歴を表示する操作履歴表示処理手段、モバイル端末および監視制御装置のいずれかに排他的にプラントの制御権を与えるプラント制御処理手段、モバイル端末からの読出し要求に応じて、コントローラから監視データを取得して、モバイル端末へ送信するとともに画面表示履歴格納部に蓄積し、モバイル端末からの書込み要求に応じて、モバイル端末に制御権がある場合にモバイル端末からの制御データを、コントローラへ出力するとともに画面操作履歴格納部に蓄積するモバイル端末要求処理手段、モバイル端末のライブチェックを行うライブチェック処理手段、およびプラントの監視データの画面表示を行うとともに、プラントを制御するための制御データの入力を可能とする画面表示処理手段を備え、画面表示処理手段および操作履歴表示処理手段は、ライブチェック処理手段によりモバイル端末との間の通信に異常が検出された場合に、画面表示履歴格納部および画面操作履歴格納部を用いて、モバイル端末によるプラント監視制御を継続するので、モバイル端末で実行中のプラント監視制御を監視制御装置にてシームレスに引継ぐことができる。
【図面の簡単な説明】
【０００９】
【図１】この発明の実施の形態１によるプラント監視制御システムを示すシステム構成図である。
【図２】この発明の実施の形態１によるプラント監視制御システムにおける監視制御装置とモバイル端末との関係を説明する機能ブロック図である。
【図３】この発明の実施の形態１によるプラント監視制御システムにおける監視制御装置とモバイル端末との通信状態を確認する通信手順を示す図である。
【図４】この発明の実施の形態１によるプラント監視制御システムにおける監視制御装置とモバイル端末とのプラント制御対象グループを決定する管理手順を示す図である。
【図５】この発明の実施の形態２によるプラント監視制御システムにおける監視制御装置とモバイル端末との関係を説明する機能ブロック図である。
【図６】この発明の実施の形態３によるプラント監視制御システムにおける監視制御装置とモバイル端末との関係を説明する機能ブロック図である。
【発明を実施するための形態】
【００１０】
実施の形態１．
以下、本発明による実施の形態１を図に基づいて説明する。
図１は、この発明の実施の形態１によるプラント監視制御システムを示すシステム構成図である。
図１において、プラント監視制御システム１３は、プラント１２を監視制御し、その結果である監視制御データを収集するコントローラ１４と、このコントローラ１４とＬＡＮ１８を介して接続され、コントローラ１４が収集した監視制御データを表示可能に管理する監視制御装置１５とを有する。
また、このプラント監視制御システム１３は、ＬＡＮ１９により無線ＬＡＮ基地局１６に接続され、この無線ＬＡＮ基地局１６を介して、モバイル端末１１と無線ＬＡＮ１７により通信可能に構成されている。モバイル端末１１は、タブレット、スマートフォンなどの持ち運び可能な端末である。
【００１１】
監視制御装置１５は、プラント監視制御システム１３が対象とするプラント１２の画面情報やプラント１２から収集した監視制御データの表示や、画面入力を含む画面操作の結果表示を行う。また、画面から入力されたコントローラ１４への制御データをコントローラ１４へ渡す。
ＬＡＮ１９は、コントローラ１４が接続されているＬＡＮ１８とは別に設置されている。モバイル端末１１は、監視制御装置１５と無線ＬＡＮ基地局１６を介して無線ＬＡＮ１７によりデータ通信を行う。
このため、監視制御装置１５が管理している、プラント監視制御システム１３が対象とするプラント１２の画面情報やプラント１２から収集した監視制御データの表示、コントローラ１４への制御データの出力も、モバイル端末１１上から指示することが可能になっている。
【００１２】
図２は、この発明の実施の形態１によるプラント監視制御システムにおける監視制御装置とモバイル端末との関係を説明する機能ブロック図である。
図２において、監視制御装置１５は、次のように構成されている。
モバイル端末通信用ＬＡＮ対応ネットワーク処理手段３１は、モバイル端末１１との通信を処理する。コントローラ通信用ＬＡＮ対応ネットワーク処理手段３２は、コントローラ１４との間の通信を処理する。
画面表示処理手段３３は、プラントの監視データを表示する機能を有する。また、プラントの制御データを入力するとともに、その処理結果を表示する機能を有する。
モバイル端末データ処理手段３４（モバイル端末要求処理手段）は、モバイル端末通信用ＬＡＮ対応ネットワーク処理手段３１から受け取った監視データの読出し要求または制御データの書込み要求を処理する。
【００１３】
データアクセス処理手段３５は、画面表示処理手段３３によって、監視データの読出しを要求されると、コントローラ通信用ＬＡＮ対応ネットワーク処理手段３２を介して、コントローラ１４内に保持されているプラントの監視データを収集する。
ライブチェック処理手段３６は、モバイル端末１１のライブチェックを行う。
プラント制御処理手段３７は、プラント制御グループテーブル４３で、複数の監視制御装置およびモバイル端末による制御の整合性を管理する。すなわち、プラントの制御権を排他的に管理する。
操作履歴表示処理手段３８は、モバイル端末１１の操作履歴を画面操作履歴４２から取得し、操作履歴の表示を行う。
画面表示履歴４１（画面表示履歴格納部、履歴格納部）は、モバイル端末１１が行っていたプラント監視制御の画面表示情報を蓄積する。画面操作履歴４２（画面操作履歴格納部、履歴格納部）は、モバイル端末１１の画面上の操作履歴を蓄積する。これらはハードディスク装置に格納されている。
プラント制御グループテーブル４３は、複数の監視制御装置の制御の整合性を管理するために、制御グループ番号に対応して、制御権をもつ制御処理装置（機器ＩＤ）を登録している。プラント制御グループテーブル４３は、監視制御装置のメモリ上に配置される。
【００１４】
図２のモバイル端末１１は、次のように構成されている。
無線ＬＡＮ対応ネットワーク処理手段２１は、監視制御装置１５との通信を処理する。
画面表示処理手段２２（端末側画面表示処理手段）は、プラントの監視データを表示する機能を有する。また、プラントの制御データを入力するとともに、その処理結果を表示する機能を有する。
データアクセス処理手段２３は、画面表示処理手段２２によって、監視データの読出しを要求されると、無線ＬＡＮ対応ネットワーク処理手段２１を介して、モバイル端末通信用ＬＡＮ対応ネットワーク処理手段３１に対して、監視データの読出し要求を送信し、監視制御装置１５から取得する。
ライブチェック応答処理手段２４は、ライブチェック処理手段３６から送信されてきたライブチェックを確認し、無線ＬＡＮ対応ネットワーク処理手段２１およびモバイル端末通信用ＬＡＮ対応ネットワーク処理手段３１を介して、ライブチェック応答をライブチェック処理手段３６へ返信する。
【００１５】
図３は、この発明の実施の形態１によるプラント監視制御システムにおける監視制御装置とモバイル端末との通信状態を確認する通信手順を示す図である。
図３（ａ）は通信正常の場合のライブチェックの手順を示し、図３（ｂ）は通信異常の場合のライブチェックの手順を示している。
【００１６】
図４は、この発明の実施の形態１によるプラント監視制御システムにおける監視制御装置とモバイル端末とのプラント制御対象グループを決定する管理手順を示す図である。
図４において、プラント制御グループテーブル４３を示し、制御グループ番号で表される制御グループごとに、制御権をもつ制御処理装置（機器ＩＤ）が示されている。機器ＩＤは、監視制御装置ＩＤまたはモバイル端末ＩＤである。
プラントの監視制御データは、通常、複数の監視制御グループに分けて管理され、１つの監視制御グループは、１つの監視制御画面に表示可能な機器で構成されている。図４の制御グループは、この監視制御グループに対応している。
【００１７】
次に、動作について説明する。
まず、監視制御装置１５によるプラント監視の動作について説明する。
監視制御装置１５の画面表示処理手段３３は、プラントの監視データを表示する機能を有する。データアクセス処理手段３５は、画面表示処理手段３３によって、監視データの読出しを要求されると、コントローラ通信用ＬＡＮ対応ネットワーク処理手段３２を介して、コントローラ１４内に保持されているプラントの監視情報を収集する。これらの収集結果は、画面表示処理手段３３によって、処理結果として表示される。
なお、プラント監視ではプラント制御処理手段３７は使用しない。
【００１８】
次に、モバイル端末１１によるプラント監視（第１のステップ）の動作について説明する。
モバイル端末１１の画面表示処理手段２２は、プラントの監視データを表示する機能を有する。データアクセス処理手段２３は、画面表示処理手段２２によって、監視データの読出しを要求されると、無線ＬＡＮ対応ネットワーク処理手段２１を介して、モバイル端末通信用ＬＡＮ対応ネットワーク処理手段３１に対して、監視データの読出し要求を送信する。
【００１９】
モバイル端末データ処理手段３４は、モバイル端末通信用ＬＡＮ対応ネットワーク処理手段３１から受け取った監視データの読出し要求を元に、コントローラ通信用ＬＡＮ対応ネットワーク処理手段３２を介して、コントローラ１４内に設定されているプラントの監視データを取得する。
これらの取得結果を、モバイル端末データ処理手段３４は、モバイル端末通信用ＬＡＮ対応ネットワーク処理手段３１および無線ＬＡＮ対応ネットワーク処理手段２１を介して、データアクセス処理手段２３に返信する。
これらの取得結果を、画面表示処理手段２２は、処理結果として表示する。
なお、モバイル端末１１からの監視データの読出し要求が発生する都度、モバイル端末データ処理手段３４により、読出し要求とその処理結果を画面表示履歴４１に格納するようになっている。
また、プラント監視ではプラント制御処理手段３７は使用しない。
【００２０】
次に、プラント制御処理手段３７の動作について説明する。
プラントの監視制御データは、通常、複数の監視制御グループに分けて管理する。１つの監視制御グループは、１つの監視制御画面に表示可能な機器で構成されている。
プラント監視の場合は、複数の監視制御装置から監視することが可能であるが、プラント制御の場合は、いずれか１つの監視制御装置からに限る必要がある。これは、複数の監視制御装置やモバイル端末から同時に制御を行うと、最後に実行された制御が有効となるため、ある監視制御装置からの制御が、別の監視制御装置からの制御により置き換えられるからである。
【００２１】
プラント制御処理手段３７では、プラント制御グループテーブル４３を用いて、複数の監視制御装置からの制御の整合性を管理する。
監視制御装置１５の画面表示処理手段３３またはモバイル端末１１の画面表示処理手段２２は、プラント監視制御グループの画面表示要求を受け取ると、プラント制御グループテーブル４３の制御グループ番号に対応する制御処理装置に監視制御装置ＩＤが登録されているかどうかを確認する。未登録であれば、自身の監視制御装置ＩＤを設定する。
他の制御処理装置が登録されていれば、制御関連の操作をできない状態にして、監視モードで画面を表示する。
監視制御装置１５の画面表示処理手段３３またはモバイル端末１１の画面表示処理手段２２は、画面表示中のプラント監視制御グループの画面表示を終了すると、プラント制御グループテーブル４３の制御グループ番号に対応する制御処理装置を削除する。
このようにして、監視制御装置１５およびモバイル端末１１からのプラント制御は、整合性を維持することができる。
【００２２】
次に、監視制御装置１５によるプラント制御の動作について説明する。
画面表示処理手段３３は、プラントの制御データを入力するとともに、その処理結果を表示する機能を有する。
データアクセス処理手段３５は、画面表示処理手段３３によって、データ書込み要求が入力されると、プラント制御処理手段３７にて、プラント制御が可能であることを確認して、コントローラ通信用ＬＡＮ対応ネットワーク処理手段３２を介して、コントローラ１４に対して、プラント制御を指示する。これらの実行結果を画面表示処理手段３３および操作履歴表示処理手段３８は、処理結果として表示する。
【００２３】
次に、モバイル端末１１によるプラント制御（第１のステップ）の動作について説明する。
モバイル端末１１の画面表示処理手段２２は、プラントの制御データを入力するとともに、その処理結果を表示する機能を有する。
データアクセス処理手段２３は、画面表示処理手段２２によって、データ書込み要求（プラント制御指令）が入力されると、無線ＬＡＮ対応ネットワーク処理手段２１を介して、モバイル端末通信用ＬＡＮ対応ネットワーク処理手段３１に対して、データ書込み要求を送信する。
【００２４】
モバイル端末データ処理手段３４は、モバイル端末通信用ＬＡＮ対応ネットワーク処理手段３１から受け取ったデータ書込み要求を元に、プラント制御処理手段３７にてプラント制御が可能であることを確認して、コントローラ通信用ＬＡＮ対応ネットワーク処理手段３２を介して、コントローラ１４に対して、プラント制御を指示する。
これらの実行結果を、モバイル端末データ処理手段３４は、モバイル端末通信用ＬＡＮ対応ネットワーク処理手段３１および無線ＬＡＮ対応ネットワーク処理手段２１を介して、データアクセス処理手段２３に返信する。これらの収集結果を、画面表示処理手段２２は、処理結果として表示する。
なお、モバイル端末１１からの制御データの書込み要求が発生する都度、モバイル端末データ処理手段３４により、書込み要求とその処理結果を画面操作履歴４２に格納するようになっている。
【００２５】
次に、モバイル端末１１に対するライブチェック（第２のステップ）の動作について説明する。（図３参照）
これは、監視制御装置１５によるモバイル端末１１との通信接続状態を定期的に確認するものである。監視制御装置１５のライブチェック処理手段３６は、監視制御装置１５に無線ＬＡＮ接続中のすべてのモバイル端末１１に対して、モバイル端末通信用ＬＡＮ対応ネットワーク処理手段３１および無線ＬＡＮ対応ネットワーク処理手段２１を介して、定期的にライブチェックを送信する。
【００２６】
モバイル端末１１のライブチェック応答処理手段２４は、送信されてきたライブチェックを確認し、無線ＬＡＮ対応ネットワーク処理手段２１およびモバイル端末通信用ＬＡＮ対応ネットワーク処理手段３１を介して、ライブチェック応答をライブチェック処理手段３６へ返信する。
ライブチェック処理手段３６は、ライブチェック応答が正規のデータかどうかを確認する。データが一致すれば、通信正常と判断する。
データが不一致またはライブチェック応答が未返信の場合には、通信失敗と判断し、短い間隔でライブチェックを再送する。
決められたリトライ回数までにライブチェックが確認されれば、通信正常とする。リトライ回数を超えてライブチェックが確認されなければ、モバイル端末通信異常とする。
【００２７】
次に、通信異常時の監視制御装置１５における通信異常回復動作について説明する。
ライブチェック処理手段３６が、監視制御装置１５とモバイル端末１１との通信接続状態を異常と判断すると、画面表示処理手段３３は、表示画面上にモバイル端末通信異常を表示し、中央操作室の運転員に通知する。同時に、プラント制御処理手段３７は、プラント制御グループテーブル４３の制御グループ番号に対応する制御処理装置を削除する。
【００２８】
次に、通信異常時の監視制御装置１５において、通信異常になったモバイル端末が行っていたプラント監視制御の継続動作（第３のステップ）について説明する。
画面表示処理手段３３は、表示画面上にモバイル端末通信異常を表示されると、中央操作室の運転員の操作により、画面表示処理手段３３は、モバイル端末１１が行っていたプラント監視制御の画面表示情報を画面表示履歴４１から取得し、画面表示を行う。
必要に応じて、操作履歴表示処理手段３８は、モバイル端末１１の操作履歴を画面操作履歴４２から取得し、履歴表示を行う。
これにより、モバイル端末１１が行っていたプラント監視制御を画面表示処理手段３３および操作履歴表示処理手段３８で継続して行うことが可能である。
【００２９】
なお、モバイル端末１１からの監視制御データの読出し要求または書込み要求が発生する都度、モバイル端末データ処理手段３４により読出し要求または書込み要求とその処理結果を画面表示履歴４１および画面操作履歴４２として監視制御装置のハードディスクに格納する代わりに、ディスクアクセス負荷軽減のため、一定時間内に発生する読出し要求または書込み要求とその処理結果を監視制御装置１５のメモリ上に一時退避しておき、一定時間後に画面表示履歴４１および画面操作履歴４２として監視制御装置１５のハードディスクに格納し、通信異常が発生した場合には、それまで退避していた情報を監視制御装置１５のハードディスクに格納するように構成してもよい。
【００３０】
また、監視制御装置１５とモバイル端末１１とのデータ授受を行う機器を無線ＬＡＮ１７の代わりに構内ＬＡＮなどの有線ＬＡＮを使用する構成としてもよい。
また、監視制御装置１５とモバイル端末１１とのデータ授受を行う機器を無線ＬＡＮ１７の代わりにＩＳＤＮなどの公衆回線を使用する構成としてもよい。
また、監視制御装置１５とモバイル端末１１とのデータ授受を行う機器を無線ＬＡＮ１７の代わりに第３世代以降の携帯電話回線網を使用する構成としてもよい。
また、監視制御装置１５とモバイル端末１１とのデータ授受を行う機器を無線ＬＡＮ１７の代わりにＬＴＥなどの高度無線通信網を使用する構成としてもよい。
【００３１】
実施の形態１によれば、モバイル端末からの監視制御データの読出し要求または書込み要求が発生する都度、モバイル端末要求処理手段により読出し要求または書込み要求とその処理結果を画面表示履歴および操作履歴として監視制御装置のハードディスクに格納する構成となっているため、使用中のモバイル端末がバッテリ切れや無線ＬＡＮ異常で利用できなくなった場合、モバイル端末で実行中のプラント監視制御操作を監視制御装置にて即座にかつシームレスに引継ぐことができる。
また、監視制御装置の画面表示処理手段により検知した異常を中央操作室の運転員に確実に通知することができる。
さらに、監視制御装置のプラント制御処理手段により、モバイル端末からのプラント制御操作と監視制御装置からのプラント制御操作が競合しない仕組みとすることができる。
【００３２】
実施の形態２．
図５は、この発明の実施の形態２によるプラント監視制御システムにおける監視制御装置とモバイル端末との関係を説明する機能ブロック図である。
図５において、１１、１４、１５，１７、３１〜３８、４１〜４３は図２におけるものと同一のものである。図５では、監視制御装置１５に、モバイル端末１１の画面表示処理手段２２と同等機能の画面表示処理手段３９を設けている。
【００３３】
実施の形態１では、監視制御装置１５の画面表示処理手段３３により、モバイル端末１１の通信異常時のプラント監視制御データを画面表示する場合について述べたが、実施の形態２は、図５に示すように、モバイル端末１１の画面表示処理手段２２と同等機能の画面表示処理手段３９を設け、モバイル端末１１の通信異常時のプラント監視制御データを、画面表示処理手段３３の代わりに、モバイル端末１１の画面表示処理手段２２と同等機能の画面表示処理手段３９で画面表示するようにした。
【００３４】
実施の形態２によれば、これにより、画面表示履歴４１のデータを加工する手間を省いて、そのまま表示することができる。
また、画面表示処理手段３９は、モバイル端末１１の画面表示処理手段２２と同等機能を有するため、中央操作室の運転員は、モバイル端末１１での操作イメージで操作することができる。
さらに、モバイル端末１１の画面表示処理手段２２と同等機能の画面表示処理手段３９の画面表示自体は、コンパクトな画面であり、監視制御装置１５の画面全体を使用しないので、監視制御装置１５が、それまで画面表示していた画面の一部を見えなくする構成で画面表示するため、複数の監視制御グループのプラント監視制御が可能となる。
【００３５】
実施の形態３．
図６は、この発明の実施の形態３によるプラント監視制御システムにおける監視制御装置とモバイル端末との関係を説明する機能ブロック図である。
図６において、１１、１４、１５，１７、３１〜３９、４１〜４３は図２におけるものと同一のものである。図６では、モバイル端末１１の通信異常を検知するライブチェック処理手段３６から、直接、モバイル端末１１の画面表示処理手段２２と同等の画面表示処理手段３９に対して、通信異常を伝えるようになっている。
【００３６】
実施の形態１および実施の形態２では、モバイル端末１１の通信異常が発生したことを、監視制御装置１５の画面表示処理手段３３を使用して、中央操作室の運転員に知らせる場合について述べたが、実施の形態３は、図６に示すように、モバイル端末１１の通信異常を検知するライブチェック処理手段３６から、直接、モバイル端末１１の画面表示処理手段２２と同等機能の画面表示処理手段３９に対して、通信異常を伝えるようにした。
【００３７】
実施の形態３によれば、これにより、中央操作室の運転員の確認を介することなく、直接、モバイル端末１１の画面表示処理手段２２と同等機能の画面表示処理手段３９を実行することが可能となる。
このため、中央操作室の運転員が、モバイル端末１１の通信異常を確認した上で画面呼出し等の操作をする必要がないので、通信異常時のプラント監視制御データ画面表示を迅速かつ確実に行うことができる。
【００３８】
なお、本発明は、その発明の範囲内において、各実施の形態を自由に組み合わせたり、各実施の形態を適宜、変形、省略することが可能である。
【符号の説明】
【００３９】
１１  モバイル端末、１２  プラント、１３  プラント監視制御システム、
１４  コントローラ、１５  監視制御装置、１６  無線ＬＡＮ基地局、１７  無線ＬＡＮ、
１８  ＬＡＮ、１９  ＬＡＮ、２１  無線ＬＡＮ対応ネットワーク処理手段、
２２  画面表示処理手段、２３  データアクセス処理手段、
２４  ライブチェック応答処理手段、
３１  モバイル端末通信用ＬＡＮ対応ネットワーク処理手段、
３２  コントローラ通信用ＬＡＮ対応ネットワーク処理手段、３３  画面表示処理手段、３４  モバイル端末データ処理手段、３５  データアクセス処理手段、
３６  ライブチェック処理手段、３７  プラント制御処理手段、
３８  操作履歴表示処理手段、３９  画面表示処理手段、
４１  画面表示履歴、４２  画面操作履歴、４３  プラント制御グループテーブル。
【図１】
2016091337.tif 000003
【図２】
2016091337.tif 000004
【図３】
2016091337.tif 000005
【図４】
2016091337.tif 000006
【図５】
2016091337.tif 000007
【図６】
2016091337.tif 000008